(57)【特許請求の範囲】
【請求項１】
載置面に載置された読取媒体を上方から撮像する撮像部と、
前記撮像部による撮像時に前記読取媒体に光を照射可能に配置される光源と、
前記光源の光を前記読取媒体に照射するレンズと、
下方に凸となる前記レンズの外縁側から出射される光を遮断する遮光部材と、
を備えることを特徴とするオーバーヘッド型画像読取装置。
【請求項２】
前記遮光部材は、当該画像読取装置に固設される請求項１に記載のオーバーヘッド型画像読取装置。
【請求項３】
前記撮像部及び前記光源を回動する回動機構を備え、
前記遮光部材は、前記光源の回動方向に設けられ、前記撮像部による撮像時に前記レンズから出射された光の上端位置を下げる請求項１に記載のオーバーヘッド型画像読取装置。
【請求項４】
前記遮光部材は、前記光源の回動に応じて可動する請求項３に記載のオーバーヘッド型画像読取装置。
【請求項５】
前記遮光部材は、前記光源の回動に応じて前記光の上端位置を維持するように可動する請求項４に記載のオーバーヘッド型画像読取装置。
【請求項６】
前記遮光部材は、前記回動機構と連動する請求項４または５に記載のオーバーヘッド型画像読取装置。
【請求項７】
前記遮光部材は、前記回動機構の動作とは独立して動作可能である請求項４または５に記載のオーバーヘッド型画像読取装置。
【請求項８】
前記遮光部材によって一部が遮断されて前記レンズから出射された光の上端位置は、前記光源の水平方向位置以下である請求項１〜７のいずれか１項に記載のオーバーヘッド型画像読取装置。
【請求項９】
前記遮光部材によって一部が遮断されて前記レンズから出射された光の上端位置は、前記レンズの光軸中心の水平方向位置以下である請求項８に記載のオーバーヘッド型画像読取装置。
【発明の詳細な説明】
【技術分野】
【０００１】
本発明は、オーバーヘッド型画像読取装置に関する。
【背景技術】
【０００２】
従来、鉛直方向上方から読取媒体を読み取るオーバーヘッド型画像読取装置が知られているが、このようなオーバーヘッド型画像読取装置では、照明から原稿面までの距離が長いため、画像を読み取る際に大きな光量が必要となる。このため、従来のオーバーヘッド型画像読取装置の中には、この大きな光量の照射光によってユーザに与える眩しさを軽減しているものがある。例えば、特許文献１に記載された画像読取装置では、原稿に対して照射する光としてスリット状の光ビームを使用し、このスリット状の光ビームを原稿の表面に照射することにより、眩しさを低減している。
【先行技術文献】
【特許文献】
【０００３】
【特許文献１】特開２００１−２８６７１号公報
【発明の概要】
【発明が解決しようとする課題】
【０００４】
しかしながら、オーバーヘッド型画像読取装置等の照明を有する装置において、使用中のユーザの目線上に照明が配置されている場合、ユーザは照明を目視することが可能な状態になる。この場合、照明からの光が目に直接入り込むため、ユーザは不快感を覚えることがある。
【０００５】
本発明は、上記に鑑みてなされたものであって、光源からの光によってユーザが嫌悪感を伴う眩しさを受けるのを抑制することのできるオーバーヘッド型画像読取装置を提供することを目的とする。
【課題を解決するための手段】
【０００６】
上述した課題を解決し、目的を達成するために、本発明に係るオーバーヘッド型画像読取装置は、載置面に載置された読取媒体を上方から撮像する撮像部と、前記撮像部による撮像時に前記読取媒体に光を照射可能に配置される光源と、前記光源の光を前記読取媒体に照射するレンズと、下方に凸となる前記レンズの外縁側から出射される光を遮断する遮光部材と、を備えることを特徴とする。
【０００７】
また、上記オーバーヘッド型画像読取装置において、前記遮光部材は、当該画像読取装置に固設されることが好ましい。
【０００８】
また、上記オーバーヘッド型画像読取装置において、前記撮像部及び前記光源を回動する回動機構を備え、前記遮光部材は、前記光源の回動方向に設けられ、前記撮像部による撮像時に前記レンズから出射された光の上端位置を下げることが好ましい。
【０００９】
また、上記オーバーヘッド型画像読取装置において、前記遮光部材は、前記光源の回動に応じて可動することが好ましい。
【００１０】
また、上記オーバーヘッド型画像読取装置において、前記遮光部材は、前記光源の回動に応じて前記光の上端位置を維持するように可動することが好ましい。
【００１１】
また、上記オーバーヘッド型画像読取装置において、前記遮光部材は、前記回動機構と連動することが好ましい。
【００１２】
また、上記オーバーヘッド型画像読取装置において、前記遮光部材は、前記回動機構の動作とは独立して動作可能であることが好ましい。
【００１３】
また、上記オーバーヘッド型画像読取装置において、前記遮光部材によって一部が遮断されて前記レンズから出射された光の上端位置は、前記光源の水平方向位置以下であることが好ましい。
【００１４】
また、上記オーバーヘッド型画像読取装置において、前記遮光部材によって一部が遮断されて前記レンズから出射された光の上端位置は、前記レンズの光軸中心の水平方向位置以下であることが好ましい。
【発明の効果】
【００１５】
本発明に係るオーバーヘッド型画像読取装置は、撮像部での読取媒体の読み取り時に、光源からの光をユーザが目視することを抑制することができる。これにより、光源からの光によってユーザが嫌悪感を伴う眩しさを受けるのを抑制することができる、という効果を奏する。
【図面の簡単な説明】
【００１６】
【図１】図１は、実施形態１に係るオーバーヘッド型画像読取装置の側面図である。
【図２】図２は、実施形態１に係るオーバーヘッド型画像読取装置の斜視図である。
【図３】図３は、光源の詳細図である。
【図４】図４は、実施形態１に係るオーバーヘッド型画像読取装置の要部構成を示すブロック図である。
【図５】図５は、図１に示すオーバーヘッド型画像読取装置での読取対象位置が前方に移動した状態を示す説明図である。
【図６】図６は、実施形態１に係るオーバーヘッド型画像読取装置での読取媒体の読み取り開始時の説明図である。
【図７】図７は、読み取り開始時の光源での照射状態を示す説明図である。
【図８】図８は、実施形態１に係るオーバーヘッド型画像読取装置での読取媒体の読み取り完了直前の説明図である。
【図９】図９は、読み取り完了直前の光源での照射状態を示す説明図である。
【図１０】図１０は、実施形態２に係るオーバーヘッド型画像読取装置の要部構成を示すブロック図である。
【図１１】図１１は、実施形態２に係るオーバーヘッド型画像読取装置の光源と照明遮断部の詳細図である。
【図１２】図１２は、読み取り完了直前の照明遮断部での遮光状態を示す説明図である。
【図１３】図１３は、実施形態２に係るオーバーヘッド型画像読取装置を作動させる際におけるフロー図である。
【図１４】図１４は、変形例に係るオーバーヘッド型画像読取装置の側面図である。
【図１５】図１５は、変形例に係るオーバーヘッド型画像読取装置の側面図である。
【図１６】図１６は、変形例に係るオーバーヘッド型画像読取装置の側面図である。
【発明を実施するための形態】
【００１７】
以下に、本発明に係るオーバーヘッド型画像読取装置の実施形態を図面に基づいて詳細に説明する。なお、この実施形態によりこの発明が限定されるものではない。また、下記実施形態における構成要素には、当業者が置換可能かつ容易なもの、或いは実質的に同一のものが含まれる。
【００１８】
〔実施形態１〕
図１は、実施形態１に係るオーバーヘッド型画像読取装置の側面図である。図２は、実施形態１に係るオーバーヘッド型画像読取装置の斜視図である。同図に示すオーバーヘッド型画像読取装置１は、読取媒体Ｓを鉛直方向上方から読み取る画像読取装置である。このオーバーヘッド型画像読取装置１は、本体１０及び光学ユニット２０を有しており、光学ユニット２０の鉛直方向下方の載置面２に載置された読取媒体Ｓの画像を読み取ることが可能になっている。載置面２は、例えば、机の上面等の平面である。
【００１９】
本体１０は、台座部１１、アーム部１２、支持部１３及びカバー部１４を有している。台座部１１は、載置面２等に載置されて本体１０全体を支持するものであり、本体１０の基部である。オーバーヘッド型画像読取装置１の電源スイッチや、画像読取開始を指示するスイッチであるスキャンスイッチ等の操作部材は、例えば台座部１１に配設されている。台座部１１は、例えば、扁平な形状で形成されており、その底面１１ｄが載置面２と互いに対向するようにして設置される。台座部１１の底面１１ｄには、脚部１１ｂが配置されている。この脚部１１ｂは、台座部１１の底面１１ｄの四隅にそれぞれ配置されており、台座部１１を支持する。
【００２０】
詳しくは、台座部１１は、扁平な直方体あるいはこれと同様や類似の形状を有しており、幅方向（後述する主走査方向）の長さ及び奥行方向（後述する副走査方向）の長さのいずれよりも鉛直方向の長さが小さい。また、台座部１１における幅方向の長さは、奥行方向の長さよりも大きくされてもよい。
【００２１】
読取媒体Ｓは、台座部１１の側方の４面の内の１つの面である前面１１ａに読取媒体Ｓの一辺を突き当てるようにして載置される。読取媒体Ｓは、例えば、前面１１ａ側に配置された二つの脚部１１ｂに突き当てるようにして載置される。つまり、読取媒体Ｓは、一辺が前面１１ａと平行となるようにして載置面２に載置される。本実施形態１に係るオーバーヘッド型画像読取装置１の説明では、矩形の読取媒体Ｓの一辺を前面１１ａに突き当てるようにして載置したときの読取媒体Ｓにおける前面１１ａ側の一辺と平行な方向を「幅方向」あるいは「主走査方向」と記載する。また、読取媒体Ｓにおける前面１１ａ側の一辺と直交する辺に平行な方向を「奥行方向」あるいは「副走査方向」と記載する。つまり、奥行方向とは、ユーザが読取媒体Ｓを挟んでオーバーヘッド型画像読取装置１と対向しているときのユーザとオーバーヘッド型画像読取装置１とが向かい合う方向である。奥行方向において、背面１１ｃから前面１１ａに向かう向きを前方と記載し、前面１１ａから背面１１ｃに向かう向きを後方と記載する。なお、背面１１ｃとは、台座部１１の側方の４面のうち、奥行方向において前面１１ａが位置する側の反対側に位置する面である。
【００２２】
アーム部１２は、台座部１１と接続され、台座部１１から鉛直方向上方に向けて延在しており、例えば、断面矩形の柱状もしくは煙突状に形成されている。アーム部１２の下部は、鉛直方向下側へ向かうに従い断面積が拡大するテーパ形状に形成されている。より具体的には、アーム部１２の下部は、鉛直方向下側へ向かうに従い幅方向の長さが拡大している。アーム部１２は、台座部１１の上面における１辺側に接続されている。具体的には、アーム部１２は、台座部１１の上面の縁を形成する４辺のうち読取媒体Ｓが配置される側と反対側の１辺側に接続されている。換言すると、アーム部１２は、台座部１１における読取媒体Ｓから遠い背面１１ｃ側の端部に接続されている。また、アーム部１２は、台座部１１における幅方向の中央部に接続されている。
【００２３】
アーム部１２の鉛直方向上方の端部には、支持部１３が接続されている。支持部１３は、アーム部１２の上端から副走査方向の前方に向けて突出している。また、支持部１３は、アーム部１２の上端から幅方向の両側へ突出している。即ち、支持部１３は、アーム部１２から読取媒体Ｓが載置される載置側へ張り出しており、且つ、アーム部１２から幅方向の両側に張り出している。
【００２４】
台座部１１と支持部１３とは鉛直方向において互いに対向しており、両者における奥行方向の読取媒体Ｓ側と反対側の端部同士がアーム部１２を介して接続されている。また、支持部１３は、台座部１１よりも奥行方向の前方に張り出している。つまり、支持部１３の前端は、台座部１１の前端よりも前方に位置している。このため、支持部１３の少なくとも一部は、読取媒体Ｓが台座部１１に突き当てるようにして載置面２に載置されると、その読取媒体Ｓと鉛直方向において互いに対向する。
【００２５】
カバー部１４は、少なくとも光学ユニット２０の回転軸Ｘを覆っており、支持部１３及び光学ユニット２０をカバーしている。カバー部１４は、回転軸Ｘ、支持部１３及び光学ユニット２０を鉛直方向上方から覆っており、支持部１３および光学ユニット２０を含む本体１０上部の外殻を形成している。なお、カバー部１４は、支持部１３と一体に形成されていてもよい。即ち、光学ユニット２０は、カバー部１４によって本体１０に対して回転軸Ｘ周りに回転自在に支持されていてもよい。
【００２６】
また、本実施形態１に係るオーバーヘッド型画像読取装置１の説明では、特に記載しない限り「半径方向」とは、回転軸Ｘと直交する半径方向を示すものとし、「軸方向視」とは、回転軸Ｘの軸方向視を示すものとする。
【００２７】
光学ユニット２０は、本体１０に対して回転軸Ｘ周りに回転することができる回転ユニットである。回転軸Ｘは、幅方向、即ち、台座部１１の前面１１ａと平行な方向に水平に延在している。つまり、回転軸Ｘは、載置面２の法線と一致する鉛直軸Ｖに対して直交している。光学ユニット２０は、光源２１、撮像部２２、本体２３、軸部２４及び遮光部材である照明遮断部２５を有している。軸部２４は、略円柱形状であり、軸受等を介して支持部１３によって回転軸Ｘ周りに回転自在に支持されている。軸部２４が支持部１３によって支持されていることにより、回転軸Ｘは、アーム部１２の鉛直方向上方端部から台座部１１に対して載置側に突出した位置にある。本体２３は、軸部２４と接続されており、軸部２４から回転軸Ｘの半径方向外側に延在している。本体２３は、例えば、軸方向視における断面形状が矩形の中空の部材である。光源２１及び撮像部２２は、本体２３内に搭載されている。
【００２８】
照明遮断部２５は、光源２１から照射された光の上端位置を下げるために設けられており、本体２３に接続されている。詳しくは、照明遮断部２５は、本体２３において、光源２１が搭載されている位置よりも、副走査方向におけるアーム部１２が位置する側の反対側に位置している。つまり、照明遮断部２５は、ユーザが読取媒体Ｓを挟んでオーバーヘッド型画像読取装置１と対向している場合において、光源２１よりもユーザ側に位置しており、光源２１とユーザとの間に配設されている。このように、光源２１とユーザとの間に配設される照明遮断部２５は、本体２３から下方に向かって延在しており、その下端は、光源２１の下端よりも下方に位置している。
【００２９】
支持部１３には、回動機構である駆動装置３１（図４参照）が配置されている。駆動装置３１は、光学ユニット２０に対して回転軸Ｘ周りの駆動力を作用させることにより、光学ユニット２０を回転軸Ｘ周りに回動させ、揺動させることができる。駆動装置３１は、例えば、電動式のモータ等の駆動源と、モータの回転軸と光学ユニット２０とを接続する伝達部とを有する。モータは、例えば、ステッピングモータであり、光学ユニット２０の回転角度を精度良く制御することができる。また、伝達部は、例えば、プーリ、ベルト、ウォームギア等の組合せからなり、モータの回転を減速して光学ユニット２０に伝達する。光学ユニット２０は、このように回動可能に配設されているが、光学ユニット２０の本体２３に接続されている照明遮断部２５は、駆動装置３１の駆動力によって回動する光学ユニット２０が有する光源２１の回動方向に設けられている。
【００３０】
図３は、光源の詳細図である。光源２１は、ＬＥＤ（Ｌｉｇｈｔ  Ｅｍｉｔｔｉｎｇ  Ｄｉｏｄｅ）等の発光部２１ａを有しており、読取媒体Ｓに対して鉛直方向上方から光を照射することができる。光源２１は、読取媒体Ｓに対してスリット状の光を照射する機能を有しており、例えば、発光部２１ａの下方に配置され、スリット状に光を照射することができるレンズ２１ｂを備えている。光源２１は、発光部２１ａ及びレンズ２１ｂを有する照明モジュールを複数有していてもよい。例えば、撮像部２２を挟んで主走査方向の両側にそれぞれ照明モジュールが配置されてもよい。
【００３１】
発光部２１ａの下方に配置されるレンズ２１ｂは、下方に凸となって湾曲する曲面を有する透明な部材により形成されている。このレンズ２１ｂは、当該レンズ２１ｂの上方に配設される発光部２１ａからの光が透過する際に、副走査方向には狭く、主走査方向に広がるスリット状に光の向きを変え、読取媒体Ｓの方向に照射する。
【００３２】
光源２１と撮像部２２とは、軸方向視において重なるように配置されている。より具体的には、光源２１の光軸Ａ１と撮像部２２の光軸Ａ２とは軸方向視において重なっており、同軸上にある。また、光源２１と撮像部２２とは、回転軸Ｘから半径方向外側に延在する同一の仮想線Ｗ上に配置されている。例えば、上記仮想線Ｗとして回転軸Ｘと後述するＣＣＤ２７の受光面２７ａとを結ぶ半径方向の直線を引いた場合に、光源２１がその仮想線Ｗ上に配置されている。
【００３３】
撮像部２２は、例えば、ＣＣＤ（Ｃｈａｒｇｅ  Ｃｏｕｐｌｅｄ  Ｄｅｖｉｃｅ）を有するイメージセンサであり、光学ユニット２０の鉛直方向下方の載置面２に載置された読取媒体Ｓを上方から撮像することが可能になっている。具体的には、撮像部２２は、読取対象ラインＬ上の読取画像によって反射されて撮像部２２に入射された反射光を光電変換により電子データに変換して読取画像の画像データを生成することが可能になっている。撮像部２２は、読取レンズ２６及びＣＣＤ２７を有している。ＣＣＤ２７は、画像を読み取る複数の画素が主走査方向に配列されたラインセンサである。ＣＣＤ２７は、主走査方向が回転軸Ｘと平行な状態で光学ユニット２０に配置されている。読取レンズ２６は、読取媒体Ｓからの反射光をＣＣＤ２７の受光面２７ａに結像させる。ＣＣＤ２７の各画素は、読取レンズ２６によって受光面２７ａに結像した読取画像の光を受光し、受光した光に対応する電気信号を出力する。ＣＣＤ２７は、読取媒体Ｓの読取対象ラインＬ上の画像を読み取り、主走査方向のライン画像データを生成することができる。なお、ＣＣＤ２７のライン数は、単数であっても複数であってもよい。
【００３４】
光源２１は、撮像部２２による撮像時に読取媒体Ｓに光を照射可能に配置されており、読取媒体Ｓにおける読取対象ラインＬ上の画像、即ち、読取画像に対して光を照射する。光源２１は、光軸Ａ１に対して照射光が所定の角度で広がるように調整されている。この角度は、読取媒体Ｓ上における照射光の副走査方向の幅が所定の値となるように定められたものである。また、光源２１は、照射光が主走査方向に広がって読取媒体Ｓの一端から他端までを照射することができるように調整されている。
【００３５】
図４は、実施形態１に係るオーバーヘッド型画像読取装置の要部構成を示すブロック図である。本実施形態１に係るオーバーヘッド型画像読取装置１は、制御部３０を備えており、制御部３０は、例えば、コンピュータを有する電子制御装置である。制御部３０は、画像読み取り時に光源２１、撮像部２２及び駆動装置３１を制御する機能を有している。制御部３０は、入出力インタフェース部３３を介して光源２１、撮像部２２及び駆動装置３１と接続されている。また、制御部３０は、入出力インタフェース部３３を介してＰＣ（Ｐｅｒｓｏｎａｌ  Ｃｏｍｐｕｔｅｒ）、あるいは情報端末等の外部機器４０と接続可能になっている。オーバーヘッド型画像読取装置１は、外部機器４０によって制御可能であり、例えば、外部機器４０からの読取指令に応じて読取媒体Ｓの読み取りを行う機能や、読み取った読取媒体Ｓの画像データを外部機器４０に出力する機能を有している。
【００３６】
制御部３０は、光源２１に対する電力供給を調節することで、光源２１の点灯・消灯を制御する。また、制御部３０は、光源２１の発光量を制御する機能を有していてもよい。制御部３０は、撮像部２２による画像読み取り時に光源２１を点灯させ、読取対象ラインＬに対して光を照射させる。また、制御部３０は、撮像部２２を駆動して読取媒体Ｓを読み取らせ、撮像部２２が生成した画像データを取得することができる。
【００３７】
制御部３０は、駆動装置３１を制御して光学ユニット２０を回転軸Ｘ周りに揺動させることができる。また、制御部３０は、光学ユニット２０の回転軸Ｘ周りの回転位置を調節することにより、読取媒体Ｓ上における副走査方向の任意の位置を読取対象ラインＬとしてそのライン画像を読み取ることが可能になっている。
【００３８】
オーバーヘッド型画像読取装置１は、ライン画像データの取得と、光学ユニット２０を回転させることによる読取対象ラインＬの位置調整とを繰り返すことで、読取媒体Ｓ全体の画像データを取得することが可能になっている。つまり、オーバーヘッド型画像読取装置１は、光源２１の照射光が原稿面上を副走査方向に走査し、且つ、光が照射されている読取対象ラインＬの画像を撮像部２２が読み取ることによって読取媒体Ｓの画像を生成することが可能になっている。オーバーヘッド型画像読取装置１は、例えば、奥行方向の後方から前方へ順次読取対象ラインＬの位置を移動させながら各読取対象ラインＬのライン画像を読み取ることで、読取媒体Ｓの２次元画像データを生成することができる。
【００３９】
本実施形態１に係るオーバーヘッド型画像読取装置１では、撮像部２２が光学ユニット２０と共に回転し、回転軸Ｘを中心とする円周上を回転軸Ｘ周りに回転しながら読取媒体Ｓを走査・撮像する。これにより、撮像部２２と読取対象位置である読取対象ラインＬとの光路長の変動が抑制される。
【００４０】
本実施形態１に係るオーバーヘッド型画像読取装置１は、以上のごとき構成からなり、以下、その作用について説明する。図１には、読取可能範囲における最も後方側を撮像するときの回転位置にある光学ユニット２０が示されている。以下、光学ユニット２０のこの回転位置を「最後方読取位置」とも記載して説明する。最後方読取位置の光学ユニット２０は、台座部１１の前方端に突き当てられた読取媒体Ｓの一辺を読み取ることができる。最後方読取位置は、画像の読み取りを開始するときの光学ユニット２０の回転位置である。
【００４１】
最後方読取位置では、光学ユニット２０の本体２３は、軸部２４よりも後方に位置している。最後方読取位置の光学ユニット２０は、回転軸Ｘからほぼ水平な方向に延在しており、詳しくは、回転軸Ｘから半径方向に離れるに従って鉛直方向下側に向かうようにわずかに傾斜している。つまり、最後方読取位置における光学ユニット２０の本体２３は、半径方向の外側の部分が内側の部分よりも副走査方向の後方で、且つ、鉛直方向下方に位置するように傾斜した姿勢になる。
【００４２】
また、最後方読取位置は、光学ユニット２０の待機位置にもなっており、この待機位置は、撮像部２２が読取媒体Ｓの読み取りを行わないときの光学ユニット２０の回転位置になっている。即ち、光学ユニット２０は、画像の読み取りを行わないときには最後方読取位置に置かれて画像読み取り開始の指令がなされるまで待機する。なお、待機位置は、最後方読取位置とは異なる位置であってもよい。例えば、待機位置は、最後方読取位置よりも本体２３が鉛直方向上方にある位置、換言すると、最後方読取位置よりも矢印Ｙ１で示す送り出し方向と反対方向まで回転した位置であってもよい。
【００４３】
光学ユニット２０が読取媒体Ｓの読み取りを開始する位置にあるときの光源２１及び撮像部２２は、それぞれの光軸方向において載置面２と対向している。換言すると、最後方読取位置にある状態の光源２１及び撮像部２２は、それぞれ載置面２に光を照射可能な状態及び載置面２の画像を読取可能な状態である。詳しくは、最後方読取位置にある光学ユニット２０の光源２１の光軸Ａ１及び撮像部２２の光軸Ａ２は、いずれも回転軸Ｘと交差しておらず、軸方向視において回転軸Ｘから離間している。即ち、光学ユニット２０が最後方読取位置にある場合の光軸Ａ１、Ａ２は、いずれも鉛直方向下方へ向かうに従い前方へ向かう傾斜を有している。
【００４４】
最後方読取位置から読取媒体Ｓの読み取りを開始すると、駆動装置３１は、光学ユニット２０を送り出し方向Ｙ１に回転させる。換言すると、駆動装置３１は、光学ユニット２０の本体２３が鉛直方向下方に移動し、且つ、前方に移動するように光学ユニット２０を回転させる。この回転方向は、光学ユニット２０を読取媒体Ｓが載置される載置側に回転軸Ｘ周りに揺動させる方向であり、光学ユニット２０を載置面２に近づける方向に回転軸Ｘ周りに揺動させる方向でもある。
【００４５】
図５は、図１に示すオーバーヘッド型画像読取装置での読取対象位置が前方に移動した状態を示す説明図である。読取媒体Ｓの読み取り時に、光学ユニット２０が駆動装置３１によって送り出し方向Ｙ１に揺動されることにより、撮像部２２による読取対象位置が前方へ移動し、後方から前方へ順次読取媒体Ｓを読み取ることができる。光学ユニット２０の回転によって、鉛直軸Ｖに対する撮像部２２の光軸Ａ２の傾斜角度θ１が増加し、撮像部２２と読取対象ラインＬとの副走査方向の距離、即ち、光路長の副走査方向成分が増加する。一方、光学ユニット２０が回転軸Ｘを中心として回転することにより、撮像部２２が鉛直方向下方に移動するため、撮像部２２と読取対象ラインＬとの鉛直方向の距離、即ち、光路長の鉛直方向成分は減少する。このように、光学ユニット２０の回転に伴って副走査方向成分が増加する一方で、光路長の鉛直方向成分が減少することにより、読取媒体Ｓを走査する間の光路長の変動が抑制される。
【００４６】
読取媒体Ｓの読み取り時に揺動する光学ユニット２０は、撮像部２２による読取対象位置が前方へ移動する方向に揺動することにより、読取可能範囲における最も前方側を撮像可能な回転位置になる。以下、光学ユニット２０のこの回転位置を「最前方読取位置」とも記載する。最前方読取位置では、光学ユニット２０の本体２３は、軸部２４の鉛直方向下方に位置している。最前方読取位置の光学ユニット２０の本体２３は、半径方向の外側の部分が内側の部分よりも副走査方向の後方で、且つ、鉛直方向下方に位置するように傾斜した姿勢である。このときの撮像部２２及び光源２１は、回転軸Ｘよりも後方に位置している。撮像部２２の光軸Ａ２は、鉛直方向下側へ向かうに従い前方へ向かうように傾斜している。このときの鉛直軸Ｖに対する光軸Ａ２の傾斜角度θ１は、最後方読取位置（図１参照）の傾斜角度θ１よりも大きな角度である。
【００４７】
本実施形態１に係るオーバーヘッド型画像読取装置１では、光学ユニット２０が最後方読取位置から最前方読取位置まで回転する間に、回転に伴って光路長の鉛直方向成分が減少し続ける一方、光路長の副走査方向成分は増加し続ける。つまり、光路長の鉛直方向成分と副走査方向成分とは、光路長の増減に関して常に反対方向に変化し続ける。これにより、撮像部２２と読取媒体Ｓとの光路長の最大値と最小値との差分が低減する。例えば、撮像部２２の高さ位置を３５０［ｍｍ］としてＡ３サイズの読取媒体Ｓを読み取る場合を例に説明すると、本実施形態１にオーバーヘッド型画像読取装置１とは異なり回転軸Ｘ上に撮像部２２を配置して撮像部２２の鉛直方向の位置が変化しない状態で読み取りを行うと、光路長の最大値が５１０［ｍｍ］、最小値が３５０［ｍｍ］であり、光路長の差分は１６０［ｍｍ］となる。これに対して、本実施形態１に係るオーバーヘッド型画像読取装置１のように、振子状の光学ユニット２０の本体２３に撮像部２２を配置した場合、光路長の最大値を４５０［ｍｍ］程度に抑えることも可能であり、この場合の光路長の差分は１００［ｍｍ］程度まで低減する。
【００４８】
よって、本実施形態１に係るオーバーヘッド型画像読取装置１によれば、光学ユニット２０の高さ位置を高くすることなく被写界深度を低減させることが可能となる。なお、光学ユニット２０の高さ位置や光学ユニット２０における撮像部２２の半径方向位置、回転軸ＸとＣＣＤ２７の受光面２７ａとを結ぶ半径方向Ｗに対する光軸Ａ２の交差角度等は、適宜定めることができる。例えば、所与の条件に基づいて最後方読取位置から最前方読取位置まで光学ユニット２０を回転させるときの光路長の変化率や変化量を極力少なくするように各寸法や角度等を設定するようにしてもよい。
【００４９】
制御部３０は、読取媒体Ｓの読み取りが終了すると、駆動装置３１によって光学ユニット２０を待機位置まで移動させる。待機位置まで移動した光学ユニット２０は、カバー部１４内の収納位置に収納されて保護される。このように、駆動装置３１は、光学ユニット２０を回転軸Ｘ周りに回転・揺動させることにより、待機位置から最前方読取位置までの揺動範囲の任意の位置に光学ユニット２０を移動させることができる。
【００５０】
また、本実施形態１に係るオーバーヘッド型画像読取装置１では、光学ユニット２０に搭載されている光源２１は、光学ユニット２０の回転に伴って回転軸Ｘを中心とする円周上を回転軸Ｘ周りに回転しながら読取媒体Ｓに光を照射する。これにより、光源２１と読取対象ラインＬとの光路長の変化が抑制され、副走査方向の位置による照度変化が抑制される。即ち、撮像部２２の場合と同様、光学ユニット２０の回転に伴い、副走査方向成分が増加する一方で、光源２１と読取対象ラインＬとの光路長の鉛直方向成分は減少する。よって、光源２１が読取媒体Ｓを後方端から前方端まで走査する間の光源２１と読取対象ラインＬとの光路長の変化が抑制される。従って、副走査方向の位置による照度の変化が抑制され、オーバーヘッド型画像読取装置１が生成する画像の画質が向上する。
【００５１】
次に、オーバーヘッド型画像読取装置１での読取媒体Ｓの読み取り時におけるオーバーヘッド型画像読取装置１とユーザとの関係について説明する。図６は、実施形態１に係るオーバーヘッド型画像読取装置での読取媒体の読み取り開始時の説明図である。オーバーヘッド型画像読取装置１で読取媒体Ｓを読み取る際には、オーバーヘッド型画像読取装置１を机等の載置面２上に載置し、ユーザ１００は、支持部１３がアーム部１２から突出している方向からオーバーヘッド型画像読取装置１に対向した状態で読み取る。オーバーヘッド型画像読取装置１での読み取り時は、光学ユニット２０が最後方読取位置の回転位置になっている状態から読み取りを開始する。このため、読み取りを開始時の光源２１は、撮像部２２での読取可能範囲における最も後方側を照射する状態になる。
【００５２】
図７は、読み取り開始時の光源での照射状態を示す説明図である。光源２１から光を照射する際には、発光部２１ａで発光した光が発光部２１ａの下方に位置するレンズ２１ｂを透過し、発光部２１ａで発光した光の大部分がスリット状になり、ライン照射成分Ｉとして、載置面２あるいは読取媒体Ｓの方向に照射される。このように、発光部２１ａで発光した光の大部分からなるライン照射成分Ｉは、光源２１の光軸Ａ１に沿って照射される。
【００５３】
一方、発光部２１ａで発光した光の一部は、レンズ２１ｂの表面や内面での反射等によって乱反射し、光源２１の光軸Ａ１とは異なる方向に照射される乱反射成分Ｒとして、光源２１の外部に照射される。この乱反射成分Ｒは、照射方向が定まったものではなく、一部は副走査方向における前方、即ち、ユーザ１００の方向に照射されるが、光源２１よりもユーザ１００側には、照明遮断部２５が配設されている。このため、乱反射成分Ｒのうち、ユーザ１００の方向に照射される光は、照明遮断部２５によって遮光され、ユーザ１００には届かなくなる。
【００５４】
また、ユーザ１００の方向に照射される光は、このように乱反射成分Ｒが照明遮断部２５によって遮光されることにより、光源２１から照射された光におけるユーザ１００の端部である上端位置Ｒｔが下方に下げられる。つまり、ユーザ１００の方向に照射される乱反射成分Ｒは、照明遮断部２５によって遮光されることにより、照明遮断部２５が設けられず、照明遮断部２５によって遮光されない場合における上端位置である無遮光時上端位置Ｒｎよりも、上端位置Ｒｔが下方に下げられる。
【００５５】
図８は、実施形態１に係るオーバーヘッド型画像読取装置での読取媒体の読み取り完了直前の説明図である。オーバーヘッド型画像読取装置１での読取媒体Ｓの読み取り時における読み取り完了直前では、光学ユニット２０は、最前方読取位置の回転位置になり、光源２１は、撮像部２２での読取可能範囲における最も前方側を照射する状態になる。即ち、光源２１の光軸Ａ１が向かう方向は、読み取り開始時よりもユーザ１００寄りの方向になる。
【００５６】
図９は、読み取り完了直前の光源での照射状態を示す説明図である。オーバーヘッド型画像読取装置１での読み取り完了直前では、光源２１の光軸Ａ１が向かう方向は、ユーザ１００寄りの方向になるため、ライン照射成分Ｉの照射方向も、読み取り開始時よりもユーザ１００に近付くことになる。
【００５７】
また、読取媒体Ｓの読み取り時に光学ユニット２０が回動した場合でも、光源２１の発光部２１ａとレンズ２１ｂとの相対的な位置関係は変化しないため、ライン照射成分Ｉと同様に、乱反射成分Ｒもユーザ１００に近付くことになる。その際に、乱反射成分Ｒは、ユーザ１００に近付くのみでなく、光学ユニット２０が回転軸Ｘを中心として回動することに伴い、上端位置Ｒｔが上方に上がるが、この上端位置Ｒｔは、無遮光時上端位置Ｒｎよりも下方に下がっている。つまり、照明遮断部２５は、光源２１よりも、撮像部２２による撮像時に光学ユニット２０が回動する方向側、即ち、光源２１が回動する方向側に配設されており、撮像部２２による撮像時に光源２１から照射された光の上端位置Ｒｔを下げる役割を果たしている。
【００５８】
このように、照明遮断部２５により下げられる光源２１から照射された光の上端位置Ｒｔは、光源２１の水平方向位置以下、即ち、光学ユニット２０が最前方読取位置の回転位置になった場合における光源２１の上下方向の高さ以下の高さになっている。具体的には、この上端位置Ｒｔは、レンズ２１ｂにおける光軸Ａ１の位置である光軸中心２１ｃの水平方向位置以下になっている。
【００５９】
つまり、光源２１の光軸Ａ１は、発光部２１ａと、レンズ２１ｂの光軸中心２１ｃとを結ぶ直線に沿った軸になっており、光学ユニット２０が最前方読取位置の回転位置になった場合における上端位置Ｒｔは、この状態におけるレンズ２１ｂの光軸中心２１ｃの上下方向の高さ以下の高さになっている。換言すると、照明遮断部２５は、光源２１から照射された光の上端位置Ｒｔを、レンズ２１ｂの光軸中心２１ｃの水平方向位置以下にすることのできる高さで、光学ユニット２０の本体２３から下方に向かって延在している。
【００６０】
また、発光部２１ａの発光時は、発光部２１ａからの光のうち、一部の光は、レンズ２１ｂで乱反射せずにレンズ２１ｂを透過し、直接光成分Ｄとして光源２１の周囲に照射される。この直接光成分Ｄのうち、ユーザ１００の方向に向かう光も照明遮断部２５によって遮光されるため、光源２１からの光は、直接光成分Ｄも含めて、上端位置Ｒｔが下方に下げられる。
【００６１】
光源２１からの照射された光は、照明遮断部２５によって上端位置Ｒｔが下げられているため、読取媒体Ｓの読み取り時に光学ユニット２０が最前方読取位置の回転位置になった場合でも、光源２１からの光はユーザ１００の目には入り難くなる。
【００６２】
以上の実施形態１に係るオーバーヘッド型画像読取装置１は、光学ユニット２０に、光源２１から照射された光の上端位置Ｒｔを下げる照明遮断部２５が形成されているため、読取媒体Ｓの読み取り時に、光源２１からの光をユーザ１００が目視することを抑制することができる。この結果、光源２１からの光によってユーザ１００が嫌悪感を伴う眩しさを受けるのを抑制することができる。
【００６３】
また、照明遮断部２５は、駆動装置３１の駆動力による光源２１の回動方向に設けられており、撮像部２２による撮像時に光源２１から照射された光の上端位置Ｒｔを下げることが可能になっている。このため、撮像部２２と光源２１とが回動して読取媒体Ｓを読み取る際に、光源２１からの光をユーザ１００が目視することを、より確実に抑制することができる。この結果、読取媒体Ｓの読み取り時に、ユーザ１００が嫌悪感を伴う眩しさを受けるのを抑制することができる。
【００６４】
また、照明遮断部２５は、光源２１から照射された光の上端位置Ｒｔを、光源２１の水平方向位置以下にすることができ、具体的には、レンズ２１ｂの光軸中心２１ｃの水平方向位置以下にすることが可能になっている。このため、読取媒体Ｓを読み取る際に、光源２１からの光をユーザ１００が目視することを、より確実に抑制することができる。この結果、読取媒体Ｓの読み取り時に、嫌悪感を伴う眩しさをユーザ１００が受けることを、より確実に抑制することができる。
【００６５】
〔実施形態２〕
実施形態２に係るオーバーヘッド型画像読取装置１は、実施形態１に係るオーバーヘッド型画像読取装置１と略同様の構成であるが、照明遮断部が可動する点に特徴がある。他の構成は実施形態１と同様なので、その説明を省略すると共に、同一の符号を付す。
【００６６】
図１０は、実施形態２に係るオーバーヘッド型画像読取装置の要部構成を示すブロック図である。図１１は、実施形態２に係るオーバーヘッド型画像読取装置の光源と照明遮断部の詳細図である。本実施形態２に係るオーバーヘッド型画像読取装置１は、実施形態１に係るオーバーヘッド型画像読取装置１と同様に制御部３０を備えており、制御部３０により、入出力インタフェース部３３を介して光源２１や撮像部２２、駆動装置３１を制御することが可能になっている。これにより、オーバーヘッド型画像読取装置１は、光学ユニット２０を回動させながら、読取媒体Ｓを読み取ることが可能になっている。
【００６７】
また、本実施形態２に係るオーバーヘッド型画像読取装置１は、実施形態１に係るオーバーヘッド型画像読取装置１と同様に、光源２１から照射された光の上端位置を下げる照明遮断部５０を有している。照明遮断部５０は、ユーザ１００が読取媒体Ｓを挟んでオーバーヘッド型画像読取装置１と対向している場合において、光源２１とユーザ１００との間に配設されるように、光学ユニット２０に設けられている。つまり、照明遮断部５０は、光源２１よりも回転軸Ｘ寄りの位置に配設されている。
【００６８】
また、照明遮断部５０は、光学ユニット２０の本体２３から下方に向かって延在しており、さらに、本体２３からの突出量が変位するように可動することが可能になっている。つまり、本実施形態２に係るオーバーヘッド型画像読取装置１には、照明遮断部５０を移動させることができる照明遮断部駆動装置５５が備えられており、照明遮断部５０は、この照明遮断部駆動装置５５で発生する駆動力により、本体２３から下方への突出量が変化するように構成されている。
【００６９】
照明遮断部駆動装置５５は、光学ユニット２０を回動させる駆動装置３１と同様に、例えば、電動式のモータ等の駆動源と、モータの回転軸と照明遮断部駆動装置５５とを接続する伝達部とを有している。また、照明遮断部駆動装置５５も、駆動装置３１と同様に、入出力インタフェース部３３を介して制御部３０によって制御することが可能になっており、照明遮断部５０は、制御部３０で照明遮断部駆動装置５５を制御することにより、移動することができる。
【００７０】
制御部３０は、光源２１の回動に応じて、即ち、光学ユニット２０の回動に応じて照明遮断部５０が可動するように、照明遮断部駆動装置５５を制御する。つまり、制御部３０は、照明遮断部駆動装置５５を、光学ユニット２０を回動させる駆動装置３１と連動させることにより、光源２１の回動に応じて照明遮断部５０を移動させる。
【００７１】
本実施形態２に係るオーバーヘッド型画像読取装置１は、以上のごとき構成からなり、以下、その作用について説明する。オーバーヘッド型画像読取装置１で読取媒体Ｓの読み取りを行う場合は、光学ユニット２０の回転位置を、まず、最後方読取位置にする。この状態では、制御部３０は、鉛直方向における照明遮断部５０の先端の位置が、光源２１のレンズ２１ｂの光軸中心２１ｃの位置と同程度の位置になるように、照明遮断部駆動装置５５を制御し、本体２３からの突出量を調節する。制御部３０は、照明遮断部５０をこの状態にしてから光源２１と撮像部２２を制御することにより、読取媒体Ｓの読み取りを行う。
【００７２】
読取媒体Ｓの読み取りを行う場合には、光源２１から光を照射し、光源２１からの光の一部は、乱反射成分Ｒとしてユーザ１００の方向に向かうが、ユーザ１００の方向に照射される光は、照明遮断部５０によって遮光される。また、ユーザ１００の方向に照射される光は、このように乱反射成分Ｒが照明遮断部５０によって遮光されることにより、上端位置Ｒｔが無遮光時上端位置Ｒｎよりも下方に下げられる。
【００７３】
図１２は、読み取り完了直前の照明遮断部での遮光状態を示す説明図である。オーバーヘッド型画像読取装置１による読取媒体Ｓの読み取り時は、光源２１は光軸Ａ１が向かう方向が、読み取り開始時よりもユーザ１００寄りの方向になる方向に、回転軸Ｘを中心として光学ユニット２０を回動させながら読み取る。このため、ライン照射成分Ｉや乱反射成分Ｒの照射方向も、読み取り開始時よりもユーザ１００に近付くことになる。
【００７４】
一方、読取媒体Ｓの読み取り時は、制御部３０は、照明遮断部５０の突出量が増加するように、照明遮断部駆動装置５５を制御する。つまり、照明遮断部５０は、光源２１よりも回転軸Ｘ寄りに配設されているため、光源２１が下方に向かう方向に回転軸Ｘを中心として光学ユニット２０が回転した場合には、照明遮断部５０における本体２３との接続部分は、鉛直方向における高さの変化が、光源２１の高さの変化よりも小さくなる。
【００７５】
即ち、光学ユニット２０の回動時における照明遮断部５０の下がり幅は、光源２１の下がり幅よりも小さくなる。このため、光学ユニット２０の回転時には、鉛直方向における照明遮断部５０の変化量と光源２１の変化量との差を補うために、本体２３からの照明遮断部５０の突出量を増加させる。具体的には、鉛直方向における照明遮断部５０の先端の位置が、光源２１のレンズ２１ｂの光軸中心２１ｃの位置と同程度の位置になるように、本体２３からの照明遮断部５０の突出量を増加させる。つまり、照明遮断部５０は、光源２１の回動に応じて光の上端位置Ｒｔを維持するように可動する。
【００７６】
これにより、光源２１からユーザ１００の方向に向かう乱反射成分Ｒは、照明遮断部５０によって遮光される。また、発光部２１ａの発光時に、レンズ２１ｂで乱反射せずにレンズ２１ｂを透過する直接光成分Ｄのうち、ユーザ１００の方向に向かう光も、照明遮断部５０によって遮光される。このため、光源２１からの光は、直接光成分Ｄも含めて、突出量が増加した照明遮断部５０によって上端位置Ｒｔが下方に下げられる。これにより、光源２１からの照射された光は、読取媒体Ｓの読み取り時に光学ユニット２０が最前方読取位置の回転位置になった場合でも、ユーザ１００の目には入り難くなる。
【００７７】
次に、本実施形態２に係るオーバーヘッド型画像読取装置１を作動させる際における処理手順の概略について説明する。図１３は、実施形態２に係るオーバーヘッド型画像読取装置を作動させる際におけるフロー図である。本実施形態２に係るオーバーヘッド型画像読取装置１を使用するために、電源スイッチをＯＮにした場合には、まず、制御部３０で照明遮断部駆動装置５５を制御することにより、照明遮断部５０を突出させる（ステップＳＴ１０１）。つまり、照明遮断部５０の状態を、オーバーヘッド型画像読取装置１での読み取り開始時の状態にする。具体的には、鉛直方向における照明遮断部５０の先端の位置が、光源２１のレンズ２１ｂの光軸中心２１ｃの位置と同程度の位置になるまで照明遮断部５０を突出させる。
【００７８】
次に、スキャンスイッチがＯＮであるか否かを判定する（ステップＳＴ１０２）。つまり、読み取りを開始する入力操作が行われたか否かを判定する。この判定により、スキャンスイッチがＯＮであると判定された場合（ステップＳＴ１０２、Ｙｅｓ判定）には、読み取り動作を行い、照明遮断部５０を可動させる（ステップＳＴ１０３）。つまり、光源２１を点灯させ、撮像部２２で読取媒体Ｓを撮像しながら、光学ユニット２０を回動させる。さらに、光学ユニット２０の回動に応じて、ユーザ１００の方向に向かう光の上端位置Ｒｔを維持するように照明遮断部５０を可動させ、光学ユニット２０の本体２３からの照明遮断部５０の突出量を変化させる。
【００７９】
次に、光学ユニット２０の回転位置が最前方読取位置になり、読取媒体Ｓの読み取りが完了したか否かを判定する（ステップＳＴ１０４）。この判定により、読み取りが完了していないと判定された場合（ステップＳＴ１０４、Ｎｏ判定）には、読み取り動作を行いながら照明遮断部５０を可動させることを繰り返す（ステップＳＴ１０３）。
【００８０】
これに対し、読み取りが完了したと判定された場合（ステップＳＴ１０４、Ｙｅｓ判定）、または、スキャンスイッチがＯＮではないと判定された場合（ステップＳＴ１０２、Ｎｏ判定）には、電源スイッチがＯＦＦであるか否かを判定する（ステップＳＴ１０５）。この判定により、電源スイッチがＯＦＦではないと判定された場合（ステップＳＴ１０５、Ｎｏ判定）には、スキャンスイッチがＯＮであるか否かの判定を繰り返す（ステップＳＴ１０２）。
【００８１】
これに対し、電源スイッチがＯＦＦであると判定された場合（ステップＳＴ１０５、Ｙｅｓ判定）には、照明遮断部５０を格納する（ステップＳＴ１０６）。つまり、照明遮断部５０を本体２３に格納し、不使用時の状態にする。
【００８２】
以上の実施形態２に係るオーバーヘッド型画像読取装置１は、照明遮断部５０を、光源２１の回動に応じて可動させるため、光源２１が回動する場合でも、光源２１からの光がユーザ１００の目に直接入ることを抑制することができる。この結果、光源２１からの光によってユーザ１００が嫌悪感を伴う眩しさを受けるのを抑制することができる。
【００８３】
また、照明遮断部５０は、光源２１の回動に応じて光の上端位置Ｒｔを維持するように可動させるため、光源２１の回動状態に関わらず、光源２１からの光がユーザ１００の目に直接入ることを、終始抑制することができる。この結果、嫌悪感を伴う眩しさをユーザ１００が受けることを、より確実に抑制することができる。
【００８４】
また、照明遮断部５０は、駆動装置３１と連動して光学ユニット２０の本体２３からの突出量が変化するため、光学ユニット２０の回動時に、光源２１からの光がユーザ１００の目に直接入ることを、継続して抑制することができる。この結果、嫌悪感を伴う眩しさをユーザ１００が受けることを、より確実に抑制することができる。
【００８５】
〔変形例〕
なお、上述した実施形態２に係るオーバーヘッド型画像読取装置１では、照明遮断部５０は、駆動装置３１と連動しているが、照明遮断部５０は、駆動装置３１の動作とは独立して動作可能であってもよい。照明遮断部５０は、例えば、光学ユニット２０の本体２３からの突出量が段階的に変化したり、光源２１からユーザ１００に向かう光の光量に応じて変化させたりするなど、オーバーヘッド型画像読取装置１の仕様や製造コストに応じて、動作の形態を適宜設定してもよい。
【００８６】
また、上述した実施形態１、２に係るオーバーヘッド型画像読取装置１では、照明遮断部２５、５０は、光学ユニット２０に取り付けられ、光源２１と共に回動するように構成されているが、照明遮断部は、オーバーヘッド型画像読取装置１に固設されていてもよい。照明遮断部は、例えば、光学ユニット２０とは別体で本体１０の支持部１３に取り付け、光学ユニット２０に伴って回動しないようにしてもよい。照明遮断部は、このように固設することにより、製造コストの低減を図ることができる。
【００８７】
また、上述した実施形態１、２に係るオーバーヘッド型画像読取装置１は、光学ユニット２０の回転軸Ｘが、光源２１や撮像部２２よりもユーザ１００側に位置するオーバーヘッド型画像読取装置１を用いて説明しているが、オーバーヘッド型画像読取装置１は、これ以外の形態のものであってもよい。光学ユニット２０の回転軸Ｘがユーザ１００側以外の部分にある場合でも、光源２１の回動時に、光源２１の光がユーザ１００の目に入ることを抑制することができる照明遮断部が設けられていれば、オーバーヘッド型画像読取装置１の形態は問わない。
【００８８】
また、光学ユニット２０は、回動しないように構成されていてもよい。図１４〜図１６は、変形例に係るオーバーヘッド型画像読取装置の側面図である。例えば、図１４、図１５に示すように、光源２１と撮像部２２とが水平方向に離間した状態で、固定されていてもよい。この場合、照明遮断部２５は、図１４に示すように光源２１と撮像部２２との間に配設されていてもよく、図１５に示すように、光源２１と撮像部２２との双方よりも、ユーザ１００側に配設されていてもよい。
【００８９】
また、光源２１と撮像部２２とは、鉛直方向における位置が異なっていてもよく、図１６に示すように、光源２１が撮像部２２よりも鉛直方向における下方に配設されていてもよい。この場合、照明遮断部２５は、鉛直方向における位置を光源２１の位置と同程度にし、光源２１よりもユーザ１００側に配設する。これらのように、光源２１と撮像部２２とを、回動しないように配設する場合でも、照明遮断部２５は、光源２１とユーザ１００との間に配設されていればよい。
【００９０】
また、オーバーヘッド型画像読取装置１は、上述した実施形態１、２及び変形例で用いられている構成や制御等を適宜組み合わせてもよく、または、上述した構成や制御以外を用いてもよい。オーバーヘッド型画像読取装置１の構成や制御方法に関わらず、光源２１から照射された光の上端位置Ｒｔを下げる照明遮断部を設けることにより、光源２１からの光によってユーザ１００が嫌悪感を伴う眩しさを受けるのを抑制することができる。
【符号の説明】
【００９１】
１  オーバーヘッド型画像読取装置
２  載置面
１０  本体
１１  台座部
１２  アーム部
１３  支持部
２０  光学ユニット
２１  光源
２１ａ  発光部
２１ｂ  レンズ
２１ｃ  光軸中心
２２  撮像部
２３  本体
２５、５０  照明遮断部（遮光部材）
３０  制御部
３１  駆動装置（回動機構）
１００  ユーザ
【図１】
0005882839.tif 000002
【図２】
0005882839.tif 000003
【図３】
0005882839.tif 000004
【図４】
0005882839.tif 000005
【図５】
0005882839.tif 000006
【図６】
0005882839.tif 000007
【図７】
0005882839.tif 000008
【図８】
0005882839.tif 000009
【図９】
0005882839.tif 000010
【図１０】
0005882839.tif 000011
【図１１】
0005882839.tif 000012
【図１２】
0005882839.tif 000013
【図１３】
0005882839.tif 000014
【図１４】
0005882839.tif 000015
【図１５】
0005882839.tif 000016
【図１６】
0005882839.tif 000017